(57)【要約】【課題】吸収体を綺麗に、かつ、確実に取り付けることのできる使い捨て着用物品を製造する方法を提供する。【解決手段】背部用の連続ウエブ２Ｗに流れ方向Ｌに沿って伸張状態の第１弾性部材１０を間欠的に配置して背部用弾性積層体２Ｓを形成する工程と、背部用弾性積層体２Ｓの弾性部材１０の伸張を弛緩する工程と、腹部用連続ウエブ３Ｗを背部用弾性積層体２Ｓに並行して搬送する工程と、背部用弾性積層体２Ｓの第１弾性部材１０が存在しない非弾性部２ａと腹部用連続ウエブ３Ｗとの間に跨がるようにコア部４を配置する工程と、前記背部用弾性積層体２Ｓの少なくとも非弾性部２ａにウエスト用弾性部材２ｂをウエストの開口部分に沿って配置する工程とを備えている。。【選択図】      図２
2007259886.tif 000002
【特許請求の範囲】
【請求項１】
背部と、腹部と、背部と腹部との間に跨がるコア部とを有する使い捨て着用物品を製造する方法であって、
背部用の連続ウエブに流れ方向に沿って伸張状態の第１弾性部材を間欠的に配置して背部用弾性積層体を形成する工程と、
前記背部用弾性積層体の前記第１弾性部材の伸張を弛緩する工程と、
腹部用連続ウエブを前記背部用弾性積層体に並行して搬送する工程と、
前記背部用弾性積層体の前記第１弾性部材が存在しない非弾性部と腹部用連続ウエブとの間に跨がるように前記コア部を配置する工程と、
前記背部用弾性積層体の少なくとも前記非弾性部にウエスト用の第２弾性部材をウエストの開口部分に沿って配置する工程とを備えた使い捨て着用物品を製造する方法。
【発明の詳細な説明】
【技術分野】
【０００１】
本発明は使い捨て着用物品を製造する方法に関するものである。
【背景技術】
【０００２】
たとえば使い捨てオムツやパンツなどの着用物品を連続的に製造する方法として、流れ方向に連続送りされる一対のウエブ間に吸収体を配置する方法が提案されている（特許文献１）。
【特許文献１】ＷＯ２００５−０４４１６８号公報（図４）
【０００３】
以下、特許文献１の使い捨て着用物品の構造および製造方法について説明する。
図４Ａに示すように、オムツ（使い捨て着用物品の一例）１は、胴回り方向Ｌの両端に、たとえば面ファスナなどからなる止着部材５を有し胴回り方向Ｌに伸張性を有する背部２と、胴回り方向Ｌの両端にフラップ部（止着するときの掴み部分）６を有する腹部３と、背部２と腹部３との間に跨がるコア部４とが設けられて構成されている。コア部４には、体内から排出される尿や糞便などの体液を吸収保持する吸収体４ａが設けられている。コア部４の両端部には、フィット性の向上のためにレッグ弾性部材７が設けられていてもよい。
【０００４】
前記オムツ１を製造するには、図４Ｂに示すように、２枚の背部用の背部用連続ウエブ２Ｗ，２Ｗの間に、ボディフィット用弾性部材２ａおよびウエスト用弾性部材２ｂを該連続ウエブ２Ｗの長手方向Ｌに伸張状態で挟み込み、背部用弾性積層体２Ｓを形成する。
その後、図４Ｃに示すように、伸張状態の背部用弾性積層体２Ｓを弛緩させると共に、該背部用弾性積層体２Ｓと腹部用連続ウエブ３Ｗとを並行して搬送し、コア部４を背部用弾性積層体２Ｓと腹部用連続ウエブ３Ｗとに跨がるように取り付ける。前記弛緩により、前記背部２に対応する背部用弾性積層体２Ｓの長さは、伸張状態の長さＬ１００（図４Ｂ）から収縮した長さＬ２００に縮む。その後、個々のオムツ１に切り分けられ、背部用弾性積層体２Ｓおよび腹部用連続ウエブ３Ｗが、それぞれ背部２および腹部３となる。
【０００５】
この製造方法において、コア部４が取り付けられる背部用弾性積層体２Ｓの取付部２ｃは、ボディフィット用弾性部材２ａの切断により、該取付部２ｃの収縮力が低減され、取付部２ｃに皺が生じるのを緩和している。
【０００６】
しかし、背部用弾性積層体２Ｓのウエストの開口部分に相当する端部２ｄには、ウエスト用弾性部材２ｂが貼着されているので、背部用弾性積層体２Ｓを弛緩させると、前記ウエスト用弾性部材２ｂの収縮力により前記取付部２ｃが縮み、該取付部２ｃ部分に皺が生じるのを十分に防止することができない。
そのため、取付部２ｃに生じた皺により、コア部４が綺麗に取り付けられないおそれが生じる。
【発明の開示】
【０００７】
したがって、本発明の主な目的は、吸収体を綺麗に、かつ、確実に取り付けることのできる使い捨て着用物品を製造する方法を提供することである。
【０００８】
前記目的を達成するために、本発明のある使い捨て着用物品を製造する方法は、背部と、腹部と、背部と腹部との間に跨がるコア部とを有する使い捨て着用物品を製造する方法であって、背部用の連続ウエブに流れ方向に沿って伸張状態の第１弾性部材を間欠的に配置して背部用弾性積層体を形成する工程と、前記背部用弾性積層体の前記第１弾性部材の伸張を弛緩する工程と、腹部用連続ウエブを前記背部用弾性積層体に並行して搬送する工程と、前記背部用弾性積層体の前記第１弾性部材が存在しない非弾性部と腹部用連続ウエブとの間に跨がるように前記コア部を配置する工程と、前記背部用弾性積層体の少なくとも前記非弾性部にウエスト用の第２弾性部材をウエストの開口部分に沿って配置する工程とを備えている。
【０００９】
本発明によれば、コア部の配置される非弾性部には、第１弾性部材が配置されていないので、前記第１弾性部材を弛緩させても該非弾性部に皺が生じるおそれがない。そのため、非弾性部にコア部を綺麗に取り付けることができる。また、非弾性部に皺が生じない為、該非弾性部にコア部が十分に密着し、接着力の低下が生じない。
さらに、コア部の配置後に、ウエスト用の第２弾性部材を配置するので、着用者に対する本着用物品のフィット性が低下することがない。
【００１０】
なお、“使い捨て着用物品”とは、使い捨てオムツやパンツなどの使い捨て着用物品の半製品および完成品を含む概念である。
【発明を実施するための最良の形態】
【００１１】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。
【００１２】
以下、本発明の一実施例が図面にしたがって説明される。
製造工程：
まず、オムツ１の製造工程の一例について説明する。
図１Ａに示すように、搬送方向Ｌに伸張状態の弾性フィルム１０ａと不織布１０ｂとが貼り合わされて弾性シート１０Ｓが生成された後、該弾性シート１０Ｓが所定の間隔に切断されて第１弾性部材１０が生成される。
【００１３】
前記弾性フィルム１０ａとしては、たとえば、ポリウレタン系弾性フィルムや、ポリオレフィン系弾性フィルム、ポリスチレン系弾性フィルム等を用いることができる。また、弾性フィルム１０ａに代えて、搬送方向Ｌに並行する複数本の糸状の天然ゴムや、糸状の合成ゴム、ポリウレタン系弾性糸などを不織布に貼り付けて、弾性シート１０Ｓを生成してもよい。
なお、搬送方向Ｌに略直交する不織布１０ｂの幅Ｈ１は、弾性フィルム１０ａの幅Ｈ２と同程度であってもよいし、不織布１０ｂの幅Ｈ１が弾性フィルム１０ａの幅Ｈ２よりも大きくてもよい。
【００１４】
図１Ｂに示すように、第１弾性部材１０が、背部用の連続ウエブ２Ｗに流れ方向Ｌに沿って伸張状態で間欠的に配置されることにより背部用弾性積層体２Ｓが生成される。すなわち、伸張時の流れ方向Ｌの長さＬ１の第１弾性部材１０が、所定の間隔Ｌ３ごとに連続的に配置される。かかる第１弾性部材１０の配置により、背部用弾性積層体２Ｓには第１弾性部材１０が配置されていない非弾性部２ａが生じる。
なお、背部用の連続ウエブ２Ｗの裏面には、止着部材５が貼着されていてもよい。前記止着部材５は、図１ＣのダブルＺ字状に折られたテープ状の部材が、その両端において前記連続ウエブ２Ｗに対して貼着されていてもよい。
【００１５】
その後、図２Ａに示すように、前記第１弾性部材１０が流れ方向Ｌに弛緩されることにより、第１弾性部材１０の流れ方向Ｌの長さが伸張状態の長いＬ１（図１Ｂ）から、収縮状態の短いＬ２となる。一方、第１弾性部材１０の配置されていない非弾性部２ａの長さＬ３は、前記第１弾性部材１０の収縮に影響されず長さＬ３のまま維持される。
一方、前記弛緩後の背部用弾性積層体２Ｓに並行して、腹部用連続ウエブ３Ｗが搬送される。
【００１６】
その後、前記背部用弾性積層体２Ｓの前記非弾性部２ａと、腹部用連続ウエブ３Ｗとの間に跨がるようにコア部４が配置される。コア部４には吸収体４ａが予め内装されている。吸収体４ａは、体液を吸収し保持することができるものであればよく、たとえば、パルプを紛砕したフラッフパルプおよび／または高吸収性ポリマーを有していてもよい。
【００１７】
ここで、前述のように、背部用弾性積層体２Ｓの非弾性部２ａの長さＬ３は、前記第１弾性部材１０の収縮に影響されず同じ長さＬ３のまま維持される。そのため、非弾性部２ａには、第１弾性部材１０の収縮による皺が生じない。コア部４は、皺の生じていない非弾性部２ａに配置されるので、コア部４を背部用弾性積層体２Ｓに綺麗に取り付けることができる。しかも、非弾性部２ａには、皺が生じていないので、非弾性部２ａにコア部４が十分に密着し、コア部４と背部用弾性積層体２Ｓとの接着力が低下しない。
【００１８】
その後、図２Ｂに示すように、背部用弾性積層体２Ｓにウエスト用の第２弾性部材２ｂが、ウエストの開口部分に相当する端部２ｄ（背部用弾性積層体２Ｓの腹部用連続ウエブ３Ｗとは反対側の端部）に沿って配置される。第２弾性部材２ｂの配置と概ね同時ないし前記配置後、背部用弾性積層体２Ｓの前記端部２ｄが折り返された後に、固着されて、前記第２弾性部材２ｂが連続ウエブ２Ｗの端縁で挟まれて固定される。
【００１９】
前記第２弾性部材２ｂの配置後、レッグホール１７が切り取られ、図２Ｃに示すように、コア部４を中心に腹部用連続ウエブ３Ｗが背部用弾性積層体２Ｓに向って折り畳まれた後、個々のオムツ１に切り分けられる。
【００２０】
製造方法：
つぎに、前記オムツ１の製造方法の一例について説明する。
図３の左下に示すように、背部用の連続ウエブ２Ｗの裏面には、止着部材５が間欠的に貼着される。止着部材５の貼着は、たとえば、ソニックなどからなる貼付装置５１によって行われる。
【００２１】
一方、図３の中央下に示すように、弾性フィルム１０ａは、テンションローラ３０によって伸張された後、不織布１０ｂに貼着されて、図１Ａに示す弾性シート１０Ｓが生成される。
弾性シート１０Ｓは、伸張状態が維持されたまま、カッタ３１ｃによって切断されて第１弾性部材１０が生成される。第１弾性部材１０はリピッチドラム３１によって互いの間隔が長さＬ３（図１Ｂ）に広げられる。
前記第１弾性部材１０は、リピッチドラム３１上において、図１Ｂに示す伸張状態が維持されたまま、前記背部用の連続ウエブ２Ｗに貼付されて背部用弾性積層体２Ｓが生成される。
【００２２】
前記背部用弾性積層体２Ｓの生成後、図３の弛緩ドラム３２によって第１弾性部材１０が弛緩される。かかる弛緩により、図１Ｂに示す第１弾性部材１０の長さＬ１は、図２Ａに示す長さＬ２に収縮される。なお、非弾性部２ａの長さＬ３は変化しない。弛緩ドラム３２による弛緩工程を経た背部用弾性積層体２Ｓは貼付ドラム３３に送られる。
【００２３】
一方、腹部用連続ウエブ３Ｗが貼付ドラム３３に送られることにより、図２Ａに示すように、背部用弾性積層体２Ｓと腹部用連続ウエブ３Ｗとが該貼付ドラム３３上において並行（平行）に搬送される。
【００２４】
図３の右側に示すように、コア部４はカッタ４０によって所定の長さに切断され、リピッチターンドラム３４に送られる。リピッチターンドラム３４では、隣り合うコア部４の間隔が広げられると共に回転され、貼付ドラム３３に送られる。前記リピッチターンドラム３４による回転角は、９０°であってもよいし、２７０°回転させてもよい。
【００２５】
貼付ドラム３３において、図２Ａに示すように、コア部４は、並行して搬送される背部用弾性積層体２Ｓおよび腹部用連続ウエブ３Ｗとの間に跨がるように配置される。
【００２６】
その後、図２Ｂに示すように、第２弾性部材２ｂが、背部用弾性積層体２Ｓの端部に配置された後、図３に示す第１折込機４１によって、背部用弾性積層体２Ｓの端部２ｄ（図２Ｂ）が折り返されて貼着される。
【００２７】
前記第２弾性部材２ｂの配置後、下流のダイカッタ３５により、背部用弾性積層体２Ｓにレッグホール１７（図２Ｂ）が切り取られ、下流の第２折込機４２に送られる。
第２折込機４２では、図２Ｃに示すように、コア部４を中心に背部用弾性積層体２Ｓと腹部用連続ウエブ３Ｗとが重なるようにコア部４が折り畳まれる。
【００２８】
その後、カッタ３６によって、重なり合った背部用弾性積層体２Ｓおよび腹部用連続ウエブ３Ｗが切断され、個々のオムツ１に切り分けられる。前記切断は、図２Ｃに示すように、止着部材５を二分するように、隣り合うコア部４間の概ね中心が切断され、それぞれ、背部２および腹部３が生成される。
【００２９】
なお、第１弾性部材１０に対応する部分には第２弾性部材２ｂを設けなくてもよい。
また、止着部材５は、背部用弾性積層体２Ｓと腹部用連続ウエブ３Ｗとが折り畳まれた後に取り付けられてもよい。止着部材５としては、面ファスナの他に、たとえば、接着テープなどを用いてもよい。また、背部２と腹部３とを接着することで、オムツ１をパンツ型に形成してもよい。
【００３０】
また、腹部用連続ウエブ３Ｗの背部用弾性積層体２Ｓとは反対側の端部（ウエスト開口部分に相当する部分）を折り返したのち、互いに貼着してもよい。また、腹部用連続ウエブ３Ｗは、複数枚のシートからなる複合シートであってもよいし、腹部用連続ウエブ３Ｗの端部にも第２弾性部材２ｂを設けてもよい。
【産業上の利用可能性】
【００３１】
本発明は、使い捨てオムツやパンツなどの使い捨て着用物品を製造する方法に適用することができる。
【図面の簡単な説明】
【００３２】
【図１】図１Ａは本発明の一実施例にかかる第１弾性部材の製造工程を示す概略斜視図、図１Ｂは背部用弾性積層体の製造工程を示す工程図、図１Ｃは止着部材の形状を示す概略側面図である。
【図２】使い捨て着用物品の製造工程を示す工程図である。
【図３】同着用物品の製造装置を示す概略側面レイアウト図である。
【図４】図４Ａは従来の使い捨て着用物品を示す伸張状態の概略平面図、図４Ｂおよび図４Ｃは同着用物品の製造工程を示す工程図である。
【符号の説明】
【００３３】
２：背部
２ａ：非弾性部
２ｂ：第２弾性部材
２Ｓ：背部用弾性積層体
２Ｗ：背部用の連続ウエブ
３：腹部
３Ｗ：腹部用連続ウエブ
４：コア部
１０：第１弾性部材
【図１】
2007259886.tif 000003
【図２】
2007259886.tif 000004
【図３】
2007259886.tif 000005
【図４】
2007259886.tif 000006